(57)【要約】      （修正有）【課題】抜け止め部材や、高価なロック機構付き端子を用いることなく、撮像装置からの端子の抜け防止を可能とする。【解決手段】プラグ２０３を挿入するための端子の近傍に、プラグ２０３の挿入方向と略直交する方向に延在する第１の凸部２０２を設ける。また、第１の凸部２０２の延在方向と直交する方向に延在する第２の凸部３０２を設ける。プラグ２０３から延びるケーブル３０４を、第１の凸部２０２、第２の凸部３０２に絡めるように引き回すことにより、ケーブル３０４の自重等によってプラグ２０３が端子から抜けてしまうことが抑止される。【選択図】図３
2019140499.tif 000002
【特許請求の範囲】
【請求項１】
端子開口部を有する撮像装置に於いて、前記端子開口部の近傍に前記端子挿入方向と直交する方向に形成された第１の凸部と、前記第１の凸部と直交する方向に設けられた第２の凸部を有する撮像装置。
【請求項２】
請求項１に記載の撮像装置に於いて、前記第１の凸部は前記撮像装置本体の最外面に先端が接するとともに、前記第１の凸部周囲に溝部が形成され、前記第２の凸部の第１の凸部側の面が前記溝部の一部を構成していることを特徴とする撮像装置。
【請求項３】
請求項２に記載の撮像装置に於いて、前記第２の凸部の先端は前記撮像装置の最外面から所定距離離間していることを特徴とする撮像装置。
【請求項４】
請求項１に記載の撮像装置に於いて、前記凸部の先端に脱落防止凸部を有していることを特徴とする撮像装置。
【請求項５】
請求項１に記載の撮像装置に於いて、前記端子開口部を形成する部材と前記第１及び第２の凸部を形成する部材は同一であることを特徴とする撮像装置。
【請求項６】
請求項２に記載の撮像装置に於いて、前記端子開口部に接続されるプラグから延伸したケーブルを前記溝部に配設し、前記第２の凸部の側面に挿通する収納形態をとることが可能な撮像装置。
【発明の詳細な説明】
【技術分野】
【０００１】
本発明はビデオカメラの外部接続ケーブル系止構造に関するものである。
【背景技術】
【０００２】
カメラ用接続ケーブルの抜け防止手段として特許文献１のような提案がなされている。特許文献１で想定されている小型の撮像装置だけではなく、業務用のビデオカメラに於いては、高価なロック機構付きの端子とプラグの組み合わせで使用することもあった。
【先行技術文献】
【特許文献】
【０００３】
【特許文献１】特開２００９−５４３３５号公報
【発明の概要】
【発明が解決しようとする課題】
【０００４】
しかしながら、特許文献１の例によれば、抜け防止のために別途部材を用意する必要があるという問題があった。
【課題を解決するための手段】
【０００５】
本発明の撮像装置は端子開口部を有し、前記端子開口部の近傍に前記端子挿入方向と略直交する方向に形成された第１の凸部と、前記第１の凸部と直交する方向に設けられた第２の凸部を有することを特徴としている。
【発明の効果】
【０００６】
本発明によれば、別部材や高価なロック機構付き端子を使用することなく、プラグの抜けをケーブルの抜けを防止することが可能である。
【図面の簡単な説明】
【０００７】
【図１】デジタルビデオカメラ１０１の外観図。
【図２】電源端子１０８周りの拡大斜視図。
【図３】電源端子１０８周辺の下面拡大図。
【発明を実施するための形態】
【０００８】
＜第１の実施形態＞
図１に本実施例におけるデジタルビデオカメラ１０１の外観図を示す。
【０００９】
以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。  デジタルビデオカメラ１０１は使用用途によって全体を斜めにすることなどがあるが、本実施例における説明はもっとも使用頻度が高い姿勢である図１の標準的な姿勢（正位置）での説明となる。
【００１０】
本実施例におけるデジタルビデオカメラ１０１は一般的な業務用ビデオカメラと同様、レンズ部１０３に内蔵された撮像レンズからの情報を図示しない撮像素子に結像し、本体部１０４に備えられた記録部への撮像情報の記録や、表示部１０５への表示などを行う機器である。結像や記録、表示に関する説明は本発明の趣旨と関連性が低いため、説明は割愛する。
【００１１】
デジタルビデオカメラ１０１の左側面後ろ側には図の通り入出力端子群１０６が配置されている。入出力端子群１０６は画像や音声の入出力、電源の入力などがまとめて配置された箇所で、後述する電源の入力部分以外は本発明の趣旨と関連性が低いため、説明は割愛する。入出力端子群１０６の最下部に電源端子カバー１０７が配置されている。
【００１２】
図１（ｂ）は図１（ａ）の状態から電源端子カバー１０７を外した状態の図を示す。電源端子カバー１０７の内部電源端子１０８が表出するように配置されている。
【００１３】
図２に電源端子１０８周りの拡大斜視図を示す。電源端子１０８は一般的なデジタルビデオカメラに用いられる電源端子と同一で、円形のプラグを挿入できるような、円形の穴で構成されている。電源端子１０８の左側面側にある、本実施例の主たる構成のケーブル収納構造の構成要素を順次説明する。電源端子１０８の左側面横側に挿入スリット２０１を挟んで棒状凸部２０２が配置されている。図２（ｂ）は図２（ａ）の状態にプラグ２０３を挿入した状態を示す。この挿入スリット２０１と棒状凸部２０２の位置関係について図３を用いて説明する。
【００１４】
図３は電源端子１０８周辺の下面拡大図を示す。前述した挿入スリット２０１と棒状凸部２０２は図の通り配置され、その前方部には挿入スリット２０１からつながるガイド溝３０１が形成される。ガイド溝３０１の左側面側には脱落防止凸部３０２が配置されるとともに、この脱落防止凸部３０２の棒状凸部２０２側は図のように所定のオフセット量３０３を有して配置されている。これは脱落防止凸部３０２はデジタルビデオカメラ１０１全体における左後下端部にあたり、デジタルビデオカメラ１０１を落下するなどした際に脱落防止凸部３０２が最初に地面などに衝突して壊れることを防ぐためのオフセットである。
【００１５】
図３（ｂ）は図３（ａ）にプラグ２０３が電源端子１０８に挿入された状態の図を示す。プラグ２０３から延びるケーブル３０４はデジタルビデオカメラ１０１の後方に出た後、挿入スリット２０１から棒状凸部２０２に巻きつくようにガイド溝３０１を通り脱落防止凸部３０２の上面側を通りデジタルビデオカメラ１０１の左側面側に出る。脱落防止凸部３０２の詳細形状を説明するために、図３（ｃ）（ｄ）に図３（ａ）（ｂ）の状態の左側面側からの図を示す。脱落防止凸部３０２はデジタルビデオカメラ１０１の前後方向に伸びた凸形状で、上面側に出し口３０５を備えている。脱落防止凸部３０２の後ろ上面側で出し口３０５の後ろ端部には脱落防止凸部３０６として小さな凸形状を有している。
【００１６】
図３（ｄ）に示した通り、ケーブル３０４は出し口３０５から出した後に自重で下面方向に垂れる。この状態でデジタルビデオカメラ１０１を多少揺らしたりしても、ケーブル３０４が脱落防止凸部３０６に当たることで脱落を防止することが可能である。
【００１７】
図３（ｄ）を用いてケーブル３０４の挙動について説明する。ケーブル３０４が下方向に引っ張られた際は脱落防止凸部３０２に力がかかり抜け落ちない。ケーブル３０４が後ろに引っ張られた際は、ケーブル３０４は出し口３０５から外れて後ろ方向に向かうものの、ガイド溝３０１を通っているため棒状凸部２０２に力がかかるために抜けることはない。
【００１８】
以上説明した棒状凸部２０２及び脱落防止凸部３０２やガイド溝３０１はすべて電源端子１０８の開口を形成している外装部品と一体的に形成可能な形状をしているのは図に示すとおりである。
【符号の説明】
【００１９】
１０１  ・・・・  デジタルビデオカメラ
１０２  ・・・・  座標系ｘｙｚ
１０３  ・・・・  レンズ部
１０４  ・・・・  本体部
１０５  ・・・・  表示部
１０６  ・・・・  入出力端子群
１０７  ・・・・  電源端子カバー
１０８  ・・・・  電源端子
２０１  ・・・・  挿入スリット
２０２  ・・・・  棒状凸部
２０３  ・・・・  プラグ
３０１  ・・・・  ガイド溝
３０２  ・・・・  脱落防止凸部
３０３  ・・・・  オフセット量
３０４  ・・・・  ケーブル
３０５  ・・・・  出し口
３０６  ・・・・  脱落防止凸部
【図１】
2019140499.tif 000003
【図２】
2019140499.tif 000004
【図３】
2019140499.tif 000005